(57)【要約】【課題】運転モードを優先する機種を予め設定出来る多室型空気調和装置を提供する。【解決手段】圧縮機２、室外熱交換器３を有する室外機１と、室内熱交換器９ａを有する複数の室内機７ａを接続し、室外機１の冷媒液側主管２２と室内熱交換器９ａとの間に電動膨張弁６ａを介装して冷凍サイクルを構成し、室内機７ａに、冷房、暖房または除湿運転等の運転を設定する運転設定装置１０ａと、室内機７ａの定格運転容量を記憶する室内定格容量記憶装置１７ａを設け、室外機１に室内機７ａの優先運転モード機能の設定を選択する優先モード機能選択設定装置（図示せず）を設け、優先モード機能選択設定装置の信号により優先する運転モードを決定する制御装置（図示せず）を設け、定格運転容量が一番大きな室内機７ａの運転モードの運転を優先するもので、リビング等にメイン機種として設置した大容量の室内機７ａを優先的に運転することができる。【選択図】図１
2011052847.tif 000002
【特許請求の範囲】
【請求項１】
可変容量型の圧縮機、室外熱交換器、室外送風機、四方弁とを有する室外機と、それぞれ室内熱交換器、室内送風機を有する複数の室内機を接続し、前記室外機の冷媒液側配管と前記室内熱交換器との間に電動膨張弁を介装して冷凍サイクルを構成し、少なくとも前記各室内機に、冷房、暖房または除湿運転等の運転を設定する運転設定装置と、前記室内機の定格運転容量を記憶する室内定格容量記憶装置を設け、少なくとも前記室外機に前記室内機の優先運転モード機能の設定を選択する優先モード機能選択設定装置を設け、前記優先モード機能選択設定装置の信号により、優先する運転モードを決定するように制御する制御装置を設け、定格運転容量が一番大きな室内機の運転モードの運転を優先することを特徴とする多室型空気調和装置。
【請求項２】
複数の室内機と接続するための複数の接続部を、室外機の一側面に縦一列に配列し、前記接続部の上から上位になるようにあらかじめ順位付けを設定し、定格運転容量が同一の場合は、接続部の順位が上位の室内機の運転モードを優先する請求項１に記載の多室型空気調和装置。
【請求項３】
少なくとも室外機に優先室内機種設定装置を設け、優先モード機能選択設定装置と前記優先室内機種設定装置の信号により、制御装置で、優先する運転モードを決定し、前記優先室内機種設定装置に設定された室内機の運転モードの運転を優先する請求項１又は２に記載の多室型空気調和装置。
【請求項４】
複数の室内機と接続するための複数の接続部を、室外機の一側面に縦一列に配列し、前記接続部の上から上位になるようにあらかじめ順位付けを設定し、前記室内機の機種が同一の場合は、定格運転容量が一番大きな室内機の運転モードの運転を優先することを特徴とする請求項１に記載の多室型空気調和装置。
【請求項５】
複数の室内機と接続するための複数の接続部を、室外機の一側面に縦一列に配列し、前記接続部の上から上位になるようにあらかじめ順位付けを設定し、前記室内機の機種が同一でかつ定格運転容量が同一の場合は、前記接続部の順位が上位の室内機の運転モードを優先する請求項１に記載の多室型空気調和装置。
【請求項６】
複数の室内機と接続するための複数の接続部を、室外機の一側面に縦一列に配列し、少なくとも前記室外機に、前記接続部の順位付けを設定する優先接続部設定装置を設け、優先モード機能選択設定装置と前記優先接続部設定装置の信号により、制御装置で優先する運転モードを決定し、前記接続部の順位が上位の室内機の運転モードを優先する請求項１に記載の多室型空気調和装置。
【請求項７】
各室内機の運転設定装置に、時刻を設定する時間設定装置を設け、室外機に、時刻を記憶する時刻記憶装置を設け、時刻により前記接続部の順位が変化することを特徴とする請求項６に記載の多室型空気調和装置。
【発明の詳細な説明】
【技術分野】
【０００１】
本発明は、１台の室外機に複数台の室内機を接続して構成された多室型空気調和装置に関するものである。
【背景技術】
【０００２】
従来のこの種の多室型空気調和装置では、接続室内機の運転モードが異なる場合は、先に運転した方の室内機の運転モードが優先され、異なる運転モードの室内機は、異モード待機状態で停止するように制御されている（例えば、特許文献１参照）。
【先行技術文献】
【特許文献】
【０００３】
【特許文献１】特開２００１−１６５４９０号公報
【発明の概要】
【発明が解決しようとする課題】
【０００４】
しかしながら、従来の他室型空気調和装置の構成では、他室が異モードで運転中（例えば冷房運転したいのに、他室が暖房運転中の場合）の場合は、他室を止める必要（停止しに行く）があり、他室が離れている場合は、かなりの労力を要すという課題があった。また、リビング等に大容量の室内機がメイン機種として設置されている場合など、メイン機種を優先的に運転したい等の要望がユーザーからあった。
【０００５】
本発明は、上記従来の課題を解決するもので、運転モードを優先する機種をあらかじめ設定することが出来る使用勝手の良い多室型空気調和装置を提供することを目的とする。
【課題を解決するための手段】
【０００６】
前記従来の課題を解決するために本発明の多室型空気調和装置は、可変容量型の圧縮機、室外熱交換器、室外送風機、四方弁とを有する室外機と、それぞれ室内熱交換器、室内送風機を有する複数の室内機を接続し、前記室外機の冷媒液側配管と前記室内熱交換器との間に電動膨張弁を介装して冷凍サイクルを構成し、少なくとも前記各室内機に、冷房、暖房または除湿運転等の運転を設定する運転設定装置と、前記室内機の定格運転容量を記憶する室内定格容量記憶装置を設け、少なくとも前記室外機に前記室内機の優先運転モード機能の設定を選択する優先モード機能選択設定装置を設け、前記優先モード機能選択設定装置の信号により、優先する運転モードを決定するように制御する制御装置を設け、定格運転容量が一番大きな室内機の運転モードの運転を優先するもので、リビング等に大容量の室内機がメイン機種として設置されている場合など、メイン機種を優先的に運転したい等のユーザーの要望が実現可能となり、ユーザーの使い勝手が向上する。
【発明の効果】
【０００７】
本発明の多室型空気調和装置は、運転モードを優先する機種をあらかじめ設定することができるので、ユーザーの使い勝手が向上する。
【図面の簡単な説明】
【０００８】
【図１】本発明の実施の形態１における多室型空気調和装置の冷凍サイクル図
【図２】同多室型空気調和装置の制御ブロック図
【図３】同多室型空気調和装置の優先モード機能選択設定装置の略図
【図４】同多室型空気調和装置の動作を説明するフローチャート
【図５】本発明の第２の実施の形態における多室型空気調和装置の構成例を示す図
【図６】同多室型空気調和装置の動作を説明するフローチャート
【図７】（ａ）〜（ｃ）本発明の第３の実施の形態における多室型空気調和装置の優先モード機能選択設定装置の略図
【図８】同多室型空気調和装置の動作を説明するフローチャート
【図９】本発明の実施の形態４における多室型空気調和装置の構成例を示す図
【図１０】同多室型空気調和装置の動作を説明するフローチャート
【図１１】本発明の第５の実施の形態における多室型空気調和装置の動作を説明するフローチャート
【図１２】（ａ）〜（ｅ）本発明の第６の実施の形態における多室型空気調和装置の優先モード機能選択設定装置の略図
【図１３】同多室型空気調和装置のフローチャート
【図１４】本発明の第７の実施の形態における多室型空気調和装置の制御ブロック図
【図１５】（ａ）〜（ｄ）同多室型空気調和装置の優先モード機能選択設定装置の略図
【図１６】同多室型空気調和装置のフローチャート
【発明を実施するための形態】
【０００９】
第１の発明は、可変容量型の圧縮機、室外熱交換器、室外送風機、四方弁とを有する室外機と、それぞれ室内熱交換器、室内送風機を有する複数の室内機を接続し、前記室外機の冷媒液側配管と前記室内熱交換器との間に電動膨張弁を介装して冷凍サイクルを構成し、少なくとも前記各室内機に、冷房、暖房または除湿運転等の運転を設定する運転設定装置と、前記室内機の定格運転容量を記憶する室内定格容量記憶装置を設け、少なくとも前記室外機に前記室内機の優先運転モード機能の設定を選択する優先モード機能選択設定装置を設け、前記優先モード機能選択設定装置の信号により、優先する運転モードを決定するように制御する制御装置を設け、定格運転容量が一番大きな室内機の運転モードの運転を優先するもので、リビング等に大容量の室内機がメイン機種として設置されている場合など、メイン機種を優先的に運転したい等のユーザーの要望が実現可能となり、ユーザーの使い勝手が向上する。
【００１０】
第２の発明は、特に、第１の発明の複数の室内機と接続するための複数の接続部を、室外機の一側面に縦一列に配列し、前記接続部の上から上位になるようにあらかじめ順位付けを設定し、定格運転容量が同一の場合は、接続部の順位が上位の室内機の運転モードを優先するもので、リビング等に大容量の室内機がメイン機種として設置されている場合など、メイン機種を優先的に運転したい等のユーザーの要望が実現可能となり、ユーザーの使い勝手が向上する。
【００１１】
第３の発明は、特に、第１又は第２の発明の少なくとも室外機に優先室内機種設定装置を設け、優先モード機能選択設定装置と前記優先室内機種設定装置の信号により、制御装置で、優先する運転モードを決定し、前記優先室内機種設定装置に設定された室内機の運転モードの運転を優先するもので、リビング等に大容量の例えば壁掛け機種がメイン機種として設置されている場合など、この壁掛けメイン機種を優先的に運転したい等のユーザーの要望が実現可能となり、ユーザーの使い勝手が向上する。
【００１２】
第４の発明は、特に、第１の発明の複数の室内機と接続するための複数の接続部を、室外機の一側面に縦一列に配列し、前記接続部の上から上位になるようにあらかじめ順位付けを設定し、前記室内機の機種が同一の場合は、定格運転容量が一番大きな室内機の運転モードの運転を優先するもので、リビング等に大容量の例えば壁掛け機種がメイン機種として設置されている場合などに、この壁掛けメイン機種を優先的に運転したい等のユーザーの要望が実現可能となり、ユーザーの使い勝手が向上する。
【００１３】
第５の発明は、特に、第１の発明の複数の室内機と接続するための複数の接続部を、室外機の一側面に縦一列に配列し、前記接続部の上から上位になるようにあらかじめ順位付けを設定し、前記室内機の機種が同一でかつ定格運転容量が同一の場合は、前記接続部の順位が上位の室内機の運転モードを優先するもので、リビング等に設置したメイン機種を優先的に動かしたい場合、その室内機をあらかじめ接続部の一番上部に接続し、一番優先順位が低い室内機を接続部の一番下に接続することにより、例えば大容量の壁掛け機種がメイン機種として設置されている場合などに、この壁掛けメイン機種を優先的に運転したい等のユーザーの要望が実現可能となり、ユーザーの使い勝手が向上する。
【００１４】
第６の発明は、特に、第１の発明の複数の室内機と接続するための複数の接続部を、室外機の一側面に縦一列に配列し、少なくとも前記室外機に、前記接続部の順位付けを設定する優先接続部設定装置を設け、優先モード機能選択設定装置と前記優先接続部設定装置の信号により、制御装置で優先する運転モードを決定し、前記接続部の順位が上位の室内機の運転モードを優先するもので、リビング等に設置したメイン機種を優先的に動かしたい場合、接続されている接続部の優先順位を１位に、一番優先順位が低い室内機が接続されている接続部を最下位に設定することにより、例えば大容量の壁掛け機種がメイン機種として設置されている場合など、この壁掛けメイン機種を優先的に運転したい等のユーザーの要望が実現可能となり、ユーザーの使い勝手が向上する。
【００１５】
第７の発明は、特に、第６の発明の各室内機の運転設定装置に、時刻を設定する時間設定装置を設け、室外機に、時刻を記憶する時刻記憶装置を設け、時刻により前記接続部の順位が変化するもので、例えばリビング等に設置したメイン機種は昼間優先的に動かし、寝室に接続されている機種を夜間優先的に動かしたい場合等のユーザーの要望が実現可能となり、ユーザーの使い勝手が向上する。
【００１６】
以下、本発明の実施の形態について、図面を参照しながら説明する。なお、この実施の形態によって本発明が限定されるものではない。
【００１７】
（実施の形態１）
図１は、本発明の実施の形態１における多室型空気調和装置の冷凍サイクル図の１例、図２は、同多室型空気調和装置の制御ブロック図、図３は、同多室型空気調和装置の優先モード機能選択設定装置の略図、図４は、同多室型空気調和装置の動作を説明するフローチャートである。
【００１８】
図１、２において、本実施の形態における多室形空気調和装置は、１台の室外機１に複数台（例えば、２台）の室内機７ａ、７ｂを接続して構成されている。室外機１には、インバータ駆動の容量（周波数）可変形の圧縮機２と、室外熱交換器３と、室外送風機４と、冷暖房切換用の四方弁５とが設けられている。
【００１９】
一方、室内機７ａ、７ｂには、室内送風機８ａ、８ｂと、室内熱交換器９ａ、９ｂがそれぞれ設けられていて、一台の室外機１と、室内機７ａ、７ｂは、接続配管４０により、液側接続部２４ａ、２４ｂとガス側接続部２５ａ、２５ｂで接続されている。
【００２０】
また、液側接続部２４ａ、２４ｂは、冷媒液側配管である冷媒液側主管２２より分岐した液側分岐管２２ａ、２２ｂと、ガス側接続部２５ａ、２５ｂは、冷媒ガス側主管２３より分岐したガス側分岐管２３ａ、２３ｂとでそれぞれ接続されており、液側分岐管２２ａ、２２ｂと液側接続部２４ａ、２４ｂの間には、例えばステッピングモータ等により弁開度をパルス制御可能な電動膨張弁６ａ、６ｂがそれぞれ介装されている。
【００２１】
また、室内機７ａ、７ｂには、室内機７ａ、７ｂの定格運転容量を記憶する室内定格容
量記憶装置１７ａ、１７ｂと、居住者が希望する運転モード（冷房、除湿または暖房）と室温と運転あるいは停止を設定できる運転設定装置１０ａ、１０ｂが設けられている。
【００２２】
運転設定装置１０ａ、１０ｂのそれぞれは、居住者が希望する運転モード切替スイッチ１３ａ、１３ｂ（冷房、ドライ、送風または暖房）と、室内温度設定スイッチ１４ａ、１４ｂと、運転停止スイッチ１２ａ、１２ｂと、風量設定スイッチ１５ａ、１５ｂと、風向設定スイッチ１６ａ、１６ｂ、室内吸込み温度検知装置２７ａ、２７ｂで構成されている。
【００２３】
以上のように構成された冷凍サイクルにおいて、冷房あるいは除湿運転時は、圧縮機２から吐出された冷媒は四方弁５を介して、室外熱交換器３へと流れ、室外送風機４の駆動により室外熱交換器３で室外空気と熱交換して凝縮液化し、冷媒液側主管２２を通り液側分岐管２２ａ、２２ｂにて冷媒分配させ、電動膨張弁６ａ、６ｂで複数の室内機７ａ、７ｂに分配された冷媒を流量制御して、室内機７ａ、７ｂで蒸発した後に、ガス側分岐管２３ａ、２３ｂから冷媒ガス側主管２３に合流して四方弁５を介して再び圧縮機２に吸入される。
【００２４】
この電動膨張弁６ａ、６ｂは、室内の負荷に見合った開度となるようにステッピングモータ等によりパルス制御されるため、冷媒も室内負荷に応じた流量で制御される。
【００２５】
一方、暖房運転時は、圧縮機２から吐出された冷媒は、四方弁５を介して室内熱交換器９ａ、９ｂへと流れ、室内送風機８ａ、８ｂの駆動により室内熱交換器９ａ、９ｂで室内空気と熱交換して凝縮液化し、液側分岐管２２ａ、２２ｂを通り合流後、電動膨張弁６ａ、６ｂで流量制御して室外熱交換器３で蒸発した後に四方弁５を介して再び圧縮機２に吸入される。
【００２６】
次に、本実施の形態における多室型空気調和装置の制御の流れについて図２、３、４、５を用いて説明する。図２は、複数の室内機から温度と運転設定等の信号を送信して制御行う流れを示すブロック図である。
【００２７】
本実施の形態における多室型空気調和装置の制御装置１８には、運転設定装置１０ａ、１０ｂの信号を記憶する運転モード記憶装置１９と、室内吸込み温度検知装置２７ａ、２７ｂの信号をサンプリング時間毎に受けて運転状況を判断する判定装置２０と、その信号により圧縮機２の駆動周波数や室外送風機４の回転数を決定し、圧縮機２、室内送風機８、室外送風機４等を駆動する出力リレー回路２１等を有している。
【００２８】
居住者が運転モード切替スイッチ１３ａで暖房を選択し、運転を開始すると（ここでは例えばＡ室（定格冷房能力２．２ｋＷ）の空気調和機を運転）、室内吸込み温度検知装置２７ａの信号と室内温度設定スイッチ１４ａの差温により圧縮機２の駆動周波数を決定し、出力リレー回路２１は、圧縮機２を駆動する（Ｓ１）。
【００２９】
次に、居住者が運転モード切替スイッチ１３ｂで冷房を選択し、運転指令を送ると（ここでは、例えばＢ室（定格冷房能力４．０ｋＷ））（Ｓ２）、先に運転を開始したＡ室と運転モードが異なるために、Ａ室は、暖房運転を継続し（Ｓ４）、Ｂ室は、異モード待機状態となる（Ｓ５）。ここで、Ａ室の運転を停止すると（Ｓ６、７）、Ｂ室が、自動的に冷房運転を開始する（Ｓ８）。
【００３０】
しかし、多室型空気調和装置の室外機１には、優先モード機能を選択する優先モード機能選択設定装置１１が設けられており、この優先モード機能選択設定装置１１をＯＮにあらかじめ設定すると（Ｓ３、Ｓ９）、Ｂ室（ここでは、例えば冷房定格能力４．０ｋＷ）
の方がＡ室（ここでは、例えば冷房定格能力２．２ｋＷ）より定格能力が高いため（Ｓ１０、１１）、Ｂ室の冷房運転を優先し（Ｓ１２）、Ａ室を暖房待機状態とする（Ｓ１３）。
【００３１】
図３において、優先モード機能選択設定装置１１は、左右スライド式のスイッチになっており、左がＯＦＦ、右がＯＮ設定となっており、上記の様に優先モード機能を有効にしたい場合は、右に設定するように構成されている。
【００３２】
以上のように、本実施の形態によれば、優先モード機能選択設定装置１１で、優先モード機能を選択することにより、室内機能力が一番大きい室内機７ｂの運転モードの運転を優先することにより、リビング等に大容量の室内機７ｂがメイン機種として設置されている場合など、メイン機種を優先的に運転したい等のユーザーの要望が実現可能となり、ユーザーの使い勝手が向上する。
【００３３】
（実施の形態２）
図５は、本発明の第２の実施の形態における多室型空気調和装置の構成例を示す図、図６は、同多室型空気調和装置の動作を説明するフローチャートである。尚、上記第１の実施の形態における多室型空気調和装置と同一部分には、同一符号を付してその説明を省略する。
【００３４】
本実施の形態における多室型空気調和装置は、図５に示すように、３台の室内機７ａ、７ｂ、７ｃが、室外機１の左側面に縦一列に並べた接続部Ａ〜Ｃで接続されており、上から順番に、室内機７ａ（例えば、壁掛け機種）は、接続部Ａ（以下単に「Ａポート」と称す）、室内機７ｂ（例えば、天ビル機種）は、接続部Ｂ（以下単に「Ｂポート」と称す）、室内機７ｃ（例えば、床置き機種）は、接続部Ｃ（以下単に「Ｃポート」と称す）に接続されている。
【００３５】
図６において、居住者が、運転モード切替スイッチ１３ｂで暖房を選択し、運転を開始すると（ここでは、例えば、Ｂ室（定格冷房能力４．０ｋＷ）の空気調和機を運転）、室内吸込み温度検知装置２７ｂの信号と、室内温度設定スイッチ１４ｂの差温により、圧縮機２の駆動周波数を決定し、出力リレー回路２１は、圧縮機２を駆動する（Ｓ１４）。
【００３６】
次に、居住者が運転モード切替スイッチ１３ａで、冷房を選択し、運転指令を送ると（ここでは、例えばＡ室（定格冷房能力４．０ｋＷ））（Ｓ１５）、先に運転を開始したＢ室と運転モードが異なるために、Ｂ室は、暖房運転を継続し（Ｓ１７）、Ａ室は、異モード待機状態（冷房待機状態）となる（Ｓ１８）。ここで、Ｂ室の運転を停止すると（Ｓ１９、２０）、Ａ室が自動的に冷房運転を開始する（Ｓ２１）。
【００３７】
しかしながら、本実施の形態における多室型空気調和装置の室外機１には、優先モード機能を選択する優先モード機能選択設定装置１１が設けられており、この優先モード機能選択設定装置１１をＯＮにあらかじめ設定すると（Ｓ１６、２２）、Ａ室（ここでは、例えば冷房定格能力４．０ｋＷ）の方がＢ室（ここでは、例えば、冷房定格能力２．２ｋＷ）より定格能力が高ければ（Ｓ２４）、Ａ室の冷房運転を優先し（Ｓ２７）、Ｂ室は暖房待機状態となるが（Ｓ２８）、Ａ室（ここでは、例えば冷房定格能力４．０ｋＷ）とＢ室（ここでは、例えば冷房定格能力４．０ｋＷ）の定格能力が等しい場合は（Ｓ２６）、接続ポートの上位であるＡポートに接続されているＡ室の運転を優先し（Ｓ２７）、ここでは、Ａ室の冷房運転を優先し（Ｓ２７）、Ｂ室は、暖房待機状態となる。（Ｓ２８）。
【００３８】
Ａ〜Ｃポートは、上から優先順位があらかじめ設定されており、各室内機７ａ、７ｂ、７ｃの能力が同一の場合は、ポートの優先順位の高い順番（Ａ、Ｂ、Ｃの順番）で優先的
に運転されるように設定されている。
【００３９】
以上のように、本実施の形態によれば、優先モード機能を選択することにより、定格能力が一番大きい室内機（７ａ、７ｂ又は７ｃ）の運転モードの運転を優先することにより、リビング等に大容量の室内機（７ａ、７ｂ又は７ｃ）がメイン機種として設置されている場合など、メイン機種を優先的に運転したい等のユーザーの要望が実現可能となり、ユーザーの使い勝手が向上する。
【００４０】
また、同一能力の室内機が存在する場合、優先したい室内機をあらかじめ上位ポートに接続することにより、ユーザーの使い勝手がさらに向上する。
【００４１】
（実施の形態３）
図７は、本発明の第３の実施の形態における多室型空気調和装置の優先モード機能選択設定装置の略図、図８は、同多室型空気調和装置の動作を説明するフローチャートである。尚、上記実施の形態における多室型空気調和装置と同一部分には、同一符号を付してその説明を省略する。
【００４２】
図７、８において、居住者が、運転モード切替スイッチ１３ｂで暖房を選択し、運転を開始すると（ここでは、例えば、Ｂ室（天ビル）の空気調和機を運転）、室内吸込み温度検知装置２７ｂの信号と、室内温度設定スイッチ１４ｂの差温により、圧縮機２の駆動周波数を決定し、出力リレー回路２１は圧縮機２を駆動する（Ｓ３０）。
【００４３】
次に、居住者が運転モード切替スイッチ１３ａで、冷房を選択し、運転指令を送ると（ここでは例えばＡ室（壁掛け））（Ｓ３１）、先に運転を開始したＢ室と運転モードが異なるために、Ｂ室は、暖房運転を継続し（Ｓ３３）、Ａ室は、異モード待機状態（冷房待機状態）となる（Ｓ３４）。
【００４４】
ここで、Ｂ室の運転を停止すると（Ｓ３６）、Ａ室が自動的に冷房運転を開始する（Ｓ３７）。
【００４５】
しかし、本実施の形態における多室型空気調和装置の室外機１には、優先モード機能の選択と優先機種の選択をする優先モード機能選択設定装置１１が設けられており、この優先モード機能選択設定装置１１は、図７に示すように、８個の上下スライド式のスイッチＳ１〜Ｓ８で構成されており、上がＯＮ、下がＯＦＦとなるように設定されている。
【００４６】
この優先モード機能選択設定装置１１のスイッチＳ１をＯＮにあらかじめ設定すると、優先モード機能が有効になるように設定されており、スイッチＳ２をＯＮにすると壁掛け機種（７ａ）を優先に（図７（ｂ））、スイッチＳ３をＯＮにすると天ビル機種（７ｂ）を優先に（図７（ｃ））運転するように設定されている。
【００４７】
この優先モード機能選択設定装置１１のスイッチＳ１をＯＮに設定し（Ｓ３８）、スイッチＳ２をＯＮにあらかじめ設定（他のスイッチはＯＦＦ）すると（Ｓ４０）、壁掛け機種の運転が優先されるのでＡ室（ここでは、例えば壁掛け）の方の冷房運転を優先し（Ｓ４２）、Ｂ室（ここでは、例えば天ビル）は暖房待機状態となる（Ｓ４３）。
【００４８】
この優先モード機能選択設定装置１１のスイッチＳ１をＯＮに設定し（Ｓ３８）、スイッチＳ３をＯＮにあらかじめ設定（他はＯＦＦ）すると（Ｓ３９、Ｓ４１）、天ビル機種の運転が優先されるので、Ｂ室（ここでは、例えば、天ビル））の暖房運転を継続し（Ｓ３３）、Ａ室（ここでは、例えば、壁掛け）は冷房運転待機状態となる（Ｓ３４）。
【００４９】
すなわち、本実施の形態では、優先モード機能選択設定装置１１は、複数の室内機７ａ、７ｂ、７ｃの優先順位を設定する優先室内機種設定装置としての機能を備えている。
【００５０】
以上のように、本実施の形態によれば、優先モード機能を選択することにより、リビング等に大容量の室内機（７ａ、７ｂ又は７ｃ）がメイン機種として設置されている場合など、メイン機種を優先的に運転したい等のユーザーの要望が実現可能となり、ユーザーの使い勝手が向上する。
【００５１】
（実施の形態４）
図９は、本発明の実施の形態４における多室型空気調和装置の構成例を示す図、図１０は、同多室型空気調和装置の動作を説明するフローチャートである。尚、上記実施の形態における多室型空気調和装置と同一部分には、同一符号を付してその説明を省略する。
【００５２】
本実施の形態における多室型空気調和装置は、図９に示すように、３台の室内機７ａ、７ｂ、７ｃが、室外機１の左側面に縦一列に並べた接続部Ａ〜Ｃで接続されており、上から順番に、室内機７ａ（ここでは、例えば壁掛け機種）は接続部Ａ（以下単に「Ａポート」と称す）、室内機７ｂ（ここでは、例えば壁掛け機種）は接続部Ｂ（以下単に「Ｂポート」と称す）、室内機７ｃ（ここでは、たとえば天ビル機種）は接続部Ｃ（以下単に「Ｃポート」と称す）にそれぞれ接続されている。
【００５３】
図１０において、居住者が、運転モード切替スイッチ１３ｂで暖房を選択し、運転を開始すると（ここでは例えばＢ室（壁掛け２．２ｋＷ）の空気調和機を運転）、室内吸込み温度検知装置２７ｂの信号と室内温度設定スイッチ１４ｂの差温により、圧縮機２の駆動周波数を決定し、出力リレー回路２１は、圧縮機２を駆動する（Ｓ５０）。
【００５４】
次に、居住者が運転モード切替スイッチ１３ａで冷房を選択し、運転指令を送ると（ここでは例えばＡ室（壁掛け  ４．０ｋＷ））（Ｓ５１）、先に運転を開始したＢ室と運転モードが異なるために、Ｂ室は、暖房運転を継続し（Ｓ５３）、Ａ室は、異モード待機状態（冷房運転待機状態）となる（Ｓ５４）。ここで、Ｂ室の運転を停止すると（Ｓ５５）、Ａ室が自動的に冷房運転を開始する（Ｓ５７）。
【００５５】
本実施の形態における多室型空気調和装置にも、上記実施の形態３で述べた優先モード機能選択設定装置１１が設けられ、この優先モード機能選択設定装置１１のスイッチＳ１をＯＮにあらかじめ設定すると、優先モード機能が有効になるように設定されており、スイッチＳ２をＯＮにすると壁掛け機種を優先に、スイッチＳ３をＯＮにすると天ビル機種を優先に運転するように設定されている。
【００５６】
スイッチＳ１をＯＮに設定し（Ｓ５８）、スイッチＳ２をＯＮにあらかじめ設定（他はＯＦＦ）すると（Ｓ５９）、壁掛け機種の運転が優先されるが、Ａ、Ｂ室とも壁掛け機種の場合、Ａ室（ここでは、例えば冷房定格能力４．０ｋＷ）の方が、Ｂ室（ここでは、例えば冷房定格能力２．２ｋＷ）より定格能力が高いために（Ｓ６０）、Ａ室の冷房運転を優先し（Ｓ６２）、Ｂ室を暖房運転待機状態とする（Ｓ６３）。
【００５７】
以上のように、本実施の形態によると、優先モード機能を選択することにより、リビング等に大容量の室内機（７ａ、７ｂ又は７ｃ）がメイン機種として設置されている場合など、メイン機種を優先的に運転したい等のユーザーの要望が実現可能となり、ユーザーの使い勝手が向上する。
【００５８】
（実施の形態５）
図１１は、本発明の第５の実施の形態における多室型空気調和装置の動作を説明するフ
ローチャートである。尚、上記実施の形態４における多室型空気調和装置と同一部分には、同一符号を付してその説明を省略する。
【００５９】
居住者が、運転モード切替スイッチ１３ｂで暖房を選択し、運転を開始すると（ここでは、例えばＢ室（壁掛け  ４．０ｋＷ）の空気調和機を運転）、室内吸込み温度検知装置２７ｂの信号と室内温度設定スイッチ１４ｂの差温により、圧縮機２の駆動周波数を決定し、出力リレー回路２１は、圧縮機２を駆動する（Ｓ７０）。
【００６０】
次に、居住者が運転モード切替スイッチ１３ａで冷房を選択し、運転指令を送ると（ここでは例えばＡ室（壁掛け  ４．０ｋＷ））（Ｓ７１）、先に運転を開始したＢ室と運転モードが異なるために、Ｂ室は、暖房運転を継続し（Ｓ７３）、Ａ室は、異モード待機状態（冷房待機状態）となる（Ｓ７４）。ここで、Ｂ室の運転を停止すると（Ｓ７５）、Ａ室が自動的に冷房運転を開始する（Ｓ７７）。
【００６１】
本実施の形態における多室型空気調和装置にも、上記実施の形態３で述べた優先モード機能選択設定装置１１が設けられ、この優先モード機能選択設定装置１１のスイッチＳ１をＯＮにあらかじめ設定すると、優先モード機能が有効になるように設定されており、優先モード機能選択設定装置１１のスイッチＳ２をＯＮにすると壁掛け機種を優先に、優先モード機能選択設定装置１１のスイッチＳ３をＯＮにすると天ビル機種を優先に運転するように設定されている。
【００６２】
このスイッチＳ１をＯＮに設定し（Ｓ７２）、スイッチＳ２をＯＮにあらかじめ設定（他はＯＦＦ）すると（Ｓ８０）、壁掛け機種の運転が優先されるが、Ａ、Ｂ室とも壁掛け機種の場合、Ａ室（ここでは、例えば冷房定格能力４．０ｋＷ）の方がＢ室（ここでは、例えば冷房定格能力２．２ｋＷ）より定格能力が高ければ（Ｓ８３）、Ａ室の冷房運転を優先し（Ｓ８５）、Ｂ室は暖房待機状態となるが、Ａ室（ここでは、例えば冷房定格能力４．０ｋＷ）とＢ室（ここでは例えば冷房定格能力４．０ｋＷ）の能力が等しい場合（Ｓ８４）、この場合は接続ポートの上位であるＡポートに接続されているＡ室の運転を優先し（Ｓ８５）、ここではＡ室の冷房運転を優先し（Ｓ８５）、Ｂ室は、暖房待機状態となる（Ｓ８６）。
【００６３】
Ａ〜Ｃポートは、上から優先順位があらかじめ設定されており、各室内機の能力が同一の場合は、ポートの優先順位の高い順番（Ａ、Ｂ、Ｃの順番）で優先的に運転されるように設定されている。
【００６４】
以上のように、本実施の形態によれば、優先モード機能を選択することにより、定格能力が一番大きい室内機（７ａ、７ｂ又は７ｃ）の運転モードの運転を優先することにより、リビング等に大容量の室内機（７ａ、７ｂ又は７ｃ）がメイン機種として設置されている場合など、メイン機種を優先的に運転したい等のユーザーの要望が実現可能となり、ユーザーの使い勝手が向上する。
【００６５】
また、同一能力の室内機（７ａ、７ｂ又は７ｃ）が存在する場合、優先したい室内機（７ａ、７ｂ又は７ｃ）をあらかじめ上位ポートに接続することにより、ユーザーの使い勝手がさらに向上する。
【００６６】
（実施の形態６）
図１２は、本発明の第６の実施の形態における多室型空気調和装置の優先モード機能選択設定装置の略図、図１３は、同多室型空気調和装置のフローチャートである。尚、上記第１の実施の形態における多室型空気調和装置と同一部分には、同一符号を付してその説明を省略する。
【００６７】
本実施の形態では、上記実施の形態２における多室型空気調和装置（図５）と同じように、３台の室内機７ａ、７ｂ、７ｃが、室外機１の左側面に縦一列に並べた接続部Ａ〜Ｃで接続されており、上から順番に室内機７ａ（ここでは、例えば壁掛け機種）は接続部Ａ（以下単に「Ａポート」と称す）、室内機７ｂ（ここでは、例えば天ビル機種）は接続部Ｂ（以下単に「Ｂポート」と称す）室内機７ｃ（ここでは、たとえば床置き機種）は接続部Ｃ（以下単に「Ｃポート」と称す）にそれぞれ接続されている。
【００６８】
居住者が運転モード切替スイッチ１３ｂで暖房を選択し、運転を開始すると（ここでは例えば、Ｂ室（壁掛け  ４．０ｋＷ）の空気調和機を運転）、室内吸込み温度検知装置２７ｂの信号と室内温度設定スイッチ１４ｂとの差温により、圧縮機２の駆動周波数を決定し、出力リレー回路２１は、圧縮機２を駆動する（Ｓ９０）。
【００６９】
次に、居住者が運転モード切替スイッチ１３ａで冷房を選択し、運転指令を送ると（ここでは、例えばＡ室（壁掛け  ４．０ｋＷ））（Ｓ９１）、先に運転を開始したＢ室と運転モードが異なるために、Ｂ室は、暖房運転を継続し（Ｓ９３）、Ａ室は、異モード待機状態（冷房運転待機状態）となる（Ｓ９４）。ここで、Ｂ室の運転を停止すると（Ｓ９６）、Ａ室が自動的に冷房運転を開始する（Ｓ９７）。
【００７０】
本実施の形態における多室型空気調和装置の室外機１には、優先モード機能の選択と優先機種の選択をする優先モード機能選択設定装置１１が設けられており、この優先モード機能選択設定装置１１は、図１２に示すように、それぞれ上下スライド式の８個のスイッチＳ１〜Ｓ８で構成されており、上がＯＮ、下がＯＦＦとなるように設定されている。
【００７１】
この優先モード機能選択設定装置１１のスイッチＳ１をＯＮにあらかじめ設定すると、優先モード機能が有効になるように設定されており、スイッチＳ７をＯＮ、スイッチＳ８をＯＦＦに設定すると（図１２の（ｃ））、Ａポートに接続されたに室内機７ａを優先に、スイッチＳ７をＯＦＦ、Ｓ８をＯＮに設定すると（図１２の（ｄ））、Ｂポートに接続されたに室内機７ｂを優先に、スイッチＳ７、Ｓ８の両方をＯＮに設定すると（図１２の（ｅ））Ｃポートに接続されたに室内機７ｃを優先に運転するように設定されている。
【００７２】
スイッチＳ１をＯＮに設定し（Ｓ９８）、スイッチＳ７をＯＮ、スイッチＳ８をＯＦＦにあらかじめ設定（他はＯＦＦ）すると（Ｓ１０１）、Ａポートに接続された室内機７ａが優先されので、ここでは、Ａ室の冷房運転を優先し（Ｓ１０２）、Ｂ室は、暖房運転待機状態となる。（Ｓ１０３）
また、スイッチＳ７をＯＦＦ、スイッチＳ８をＯＮにあらかじめ設定（他は、ＯＦＦ）すると（Ｓ１００）、Ｂポートに接続された室内機７ｂが優先されるので、ここでは、Ｂ室の暖房運転を継続し（Ｓ９３）、Ａ室は、暖房運転待機状態となる（Ｓ９４）。
【００７３】
すなわち、本実施の形態では、優先モード機能選択設定装置１１は、ポート（接続部）の順位付けを設定する優先接続部設定装置としての機能を備えている。
【００７４】
以上のように、本実施の形態によれば、優先モード機能を選択することにより、リビング等にメイン機種として設置されている場合など、メイン機種を優先的に運転したい等のユーザーの要望がある場合、優先したい室内機（７ａ、７ｂ又は７ｃ）をあらかじめ上位ポートに接続することにより、ユーザーの使い勝手がさらに向上する。
【００７５】
（実施の形態７）
図１４は、本発明の第７の実施の形態における多室型空気調和装置の制御ブロック図、図１５は、同多室型空気調和装置の優先モード機能選択設定装置の略図、図１６は、同多
室型空気調和装置のフローチャートである。尚、上記実施の形態における多室型空気調和装置と同一部分には、同一符号を付してその説明を省略する。
【００７６】
本実施の形態では、上記実施の形態２における多室型空気調和装置（図５）と同じように、３台の室内機７ａ、７ｂ、７ｃが、室外機１の左側面に縦一列に並べた接続部Ａ〜Ｃで接続されており、上から順番に室内機７ａ（ここでは、例えば壁掛け機種）は接続部Ａ（以下単に「Ａポート」と称す）、室内機７ｂ（ここでは、例えば天ビル機種）は接続部Ｂ（以下単に「Ｂポート」と称す）室内機７ｃ（ここでは、たとえば床置き機種）は接続部Ｃ（以下単に「Ｃポート」と称す）にそれぞれ接続されている。
【００７７】
居住者が、運転モード切替スイッチ１３ｂで暖房を選択し、運転を開始すると（ここでは、例えばＢ室壁掛け）の空気調和機を運転）、室内吸込み温度検知装置２７ｂの信号と室内温度設定スイッチ１４ｂとの差温により、圧縮機２の駆動周波数を決定し、出力リレー回路２１は、圧縮機２を駆動する（Ｓ１２０）。
【００７８】
次に、居住者が運転モード切替スイッチ１３ａで冷房を選択し、運転指令を送ると（ここでは、例えばＡ室壁掛け）（Ｓ１２１）、先に運転を開始したＢ室と運転モードが異なるために、Ｂ室は、暖房運転を継続し（Ｓ１２３）、Ａ室は、異モード待機状態（冷房運転待機状態）となる（Ｓ１２４）。ここで、Ｂ室の運転を停止すると（Ｓ１２６）、Ａ室が自動的に冷房運転を開始する（Ｓ１２７）。
【００７９】
図１５において、本実施の形態における多室型空気調和装置の室外機１には、優先モード機能の選択と優先機種の選択をする優先モード機能選択設定装置１１が設けられており、この優先モード機能選択設定装置１１は、８個の上下スライド式のスイッチＳ１〜Ｓ８で構成されており、上がＯＮ、下がＯＦＦとなるように設定されている。
【００８０】
この優先モード機能選択設定装置１１のスイッチＳ１をＯＮにあらかじめ設定すると、優先モード機能が有効になるように設定されている。一方、スイッチＳ６〜Ｓ８は、ポートの優先順位を設定でき、スイッチＳ６をＯＮ、スイッチＳ７をＯＦＦ、スイッチＳ８をＯＦＦに設定する（図１６（ｂ））と、ポートの優先順位がＡ、Ｂ、Ｃの順番になるように設定されている。
【００８１】
一方、運転設定装置１０ａ、１０ｂには、Ａ〜Ｃポートの優先順位を時間で入れ替えることを設定する時間設定装置２６ａ、２６ｂが設けられており、入れ替え開始時刻と終了時刻が設定でき、この時刻になると、優先順位の１と２のみ入れ替わるように設定されている。よって、スイッチＳ６〜スイッチＳ８は、Ａ〜Ｃポートの優先順位を設定でき、図１５（ｂ）に示すように、スイッチＳ６をＯＮ、スイッチＳ７、スイッチＳ８をＯＦＦに設定すると、Ａ〜Ｃポートの優先順位がＡ、Ｂ、Ｃの順番になるように設定されるが、時刻が来るとＢ、Ａ、Ｃの順番に入れ変わるように設定されている。
【００８２】
この優先モード機能選択設定装置１１のスイッチＳ１をＯＮに設定し（Ｓ１２８）、スイッチＳ６をＯＮ、スイッチＳ７、Ｓ８をＯＦＦにあらかじめ設定し（Ｓ１３０）、時刻をＴＸｉｎからＴＸｏｕｔに設定すると、Ａポートに接続された室内機７ａが優先されので、ここではＡ室の冷房運転を優先し（Ｓ１３１）、Ｂ室は、暖房運転待機状態となる（Ｓ１３２）。しかし、時刻がＴＸｉｎになると（Ｓ１３３）、Ｂポートに接続された室内機７ｂが優先されるので（Ｓ１３５）、時刻ＴＸｏｕｔに達するまで、Ｂ室の暖房運転を優先し（Ｓ１３５）、Ａ室は、冷房運転待機状態とる（Ｓ１２４）。
【００８３】
以上のように、本実施の形態によれば、優先モード機能を選択することにより、リビング等にメイン機種として設置されている場合など、メイン機種を優先的に運転したい等の
ユーザーの要望がある場合、優先したい室内機（７ａ、７ｂ又は７ｃ）をあらかじめ上位ポートに接続することにより、ユーザーの使い勝手がさらに向上する。
【００８４】
また、時刻により優先順位が変化するように制御することにより、例えば、リビング等に設置したメイン機種は、昼間優先的に動かし、寝室に接続されている機種を、夜間優先的に動かしたい場合等のユーザーの要望が実現可能となり、ユーザーの使い勝手がさらに向上する。
【産業上の利用可能性】
【００８５】
以上のように本発明に係る多室型空気調和装置は、運転モードを優先する機種をあらかじめ設定することが出来る使用勝手の良いもので、多室型空気調和装置に限らず１台の親機とそれに接続される複数の子機から構成された各種機器に適用できる。
【符号の説明】
【００８６】
１  室外機
２  圧縮機
３  室外熱交換器
４  室外送風機
５  四方弁
６ａ、６ｂ  電動膨張弁
７ａ、７ｂ、７ｃ  室内機
８ａ、８ｂ  室内送風機
８ａ、８ｂ  室内熱交換器
１０ａ、１０ｂ  運転設定装置
１１  優先モード機能選択設定装置
１７ａ、１７ｂ  室内定格容量記憶装置
２６ａ、２６ｂ  時間設定装置
２７ａ、２７ｂ  室内吸込み温度検知装置
【図２】
2011052847.tif 000003
【図４】
2011052847.tif 000004
【図６】
2011052847.tif 000005
【図８】
2011052847.tif 000006
【図１０】
2011052847.tif 000007
【図１１】
2011052847.tif 000008
【図１３】
2011052847.tif 000009
【図１４】
2011052847.tif 000010
【図１６】
2011052847.tif 000011
【図１】
2011052847.tif 000012
【図３】
2011052847.tif 000013
【図５】
2011052847.tif 000014
【図７】
2011052847.tif 000015
【図９】
2011052847.tif 000016
【図１２】
2011052847.tif 000017
【図１５】
2011052847.tif 000018